【事件の表示】
　特許第２９０８８６９号「パチンコ遊技機」の特許に対する特許異議の申立てについて、次のとおり決定する。
【結　論】
　訂正を認める。
　特許第２９０８８６９号の特許を維持する。
【理　由】
【１】手続きの経緯
　特許２９０８８６９号の請求項に係る発明（以下「本件発明」という。）は、平成２年１１月２２日に特許出願され、平成１１年４月２日に特許の設定登録がなされた。
　これに対して、「上田実」及び「荒井俊之」より特許異議の申立てがなされ、取消理由通知がなされ、その指定期間内である平成１２年７月１７日に訂正請求がなされた。
【２】訂正の内容
（１）特許請求の範囲の訂正
　請求項を下記のとおり訂正。
　「始動口への入賞によって拡開される可動翼片の作動によって開閉される大入賞口と前記大入賞口を通じて入球可能とされた入賞空間内に設定された普通入賞口及び特別入賞口とを備え、前記特別入賞口へのパチンコ球の落入に応じて大当りとなり、前記可動翼片の連続開閉動作を行うようになされた役物ユニットを遊技盤面に配設したパチンコ遊技機において、前記役物ユニットとは別に、第１特定入賞部と、前記始動口とした第２特定入賞部とを配設し、前記第２特定入賞部にパチンコ球が入球困難な状態からパチンコ球が入球しやすい状態に該第２特定入賞部を強制的に開放する強制開放手段と、前記第１特定入賞部をパチンコ球が通過したことを条件として図柄を変動する図柄表示器の停止表示態様で当りはずれを判定する判定手段と、前記判定手段が当りと判定した場合に、前記強制開放手段を作動して前記第２特定入賞部を開放する入賞率調整手段とを設け、前記図柄表示器を前記第２特定入賞部の前面に設けたことを特徴とするパチンコ遊技機。」
（２）発明の詳細な説明の訂正
　特許明細書第２頁第２２行〜第３頁第３行（公報第３欄第３５〜４９行）を下記のとおり訂正。
　「本発明のパチンコ遊技機は、始動口への入賞によって拡開される可動翼片の作動によって開閉される大入賞口と前記大入賞口を通じて入球可能とされた入賞空間内に設定された普通入賞口及び特別入賞口とを備え、前記特別入賞口へのパチンコ球の落入に応じて大当りとなり、前記可動翼片の連続開閉動作を行うようになされた役物ユニットを遊技盤面に配設したパチンコ遊技機において、前記役物ユニットとは別に、第１特定入賞部と、前記始動口とした第２特定入賞部とを配設し、前記第２特定入賞部にパチンコ球が入球困難な状態からパチンコ球が入球しやすい状態に該第２特定入賞部を強制的に開放する強制開放手段と、前記第１特定入賞部をパチンコ球が通過したことを条件として図柄を変動する図柄表示器の停止表示態様で当りはずれを判定する判定手段と、前記判定手段が当りと判定した場合に、前記強制開放手段を作動して前記第２特定入賞部を開放する入賞率調整手段とを設け、前記図柄表示器を前記第２特定入賞部の前面に設けたことを特徴とする。」
【３】訂正の適否についての判断
（１）特許請求の範囲の訂正
　上記訂正は、訂正前の請求項に記載された「可動翼片」の「作動」を「始動口への入賞によって拡開される」ことに限定するなど、いくつかの構成要件を明細書に記載されていた実施例に即して下位概念に限定したものであり、特許請求の範囲の減縮に該当し、新規事項の追加に該当せず、実質的に特許請求の範囲を拡張又は変更するものでもない。
（２）発明の詳細な説明の訂正
　上記訂正は、前記特許請求の範囲の減縮に伴って、減縮された特許請求の範囲の記載と発明の詳細な説明の記載とを整合させるための不明瞭な記載の釈明を目的とするものと認められる。
（３）独立特許要件
（３−１）当審が通知した上記取消理由通知で引用した、各刊行物および先願明細書には、下記の事項が図面とともに記載されている。
＜刊行物１（特開平２−２０９１８１号公報）＞
　「始動入賞口と、該始動入賞口への入賞に基づいて可変表示ゲームを行なう可変表示装置と、その可変表示ゲームの結果に基づいて予備遊技状態に変換する特別変動入賞装置と、その予備遊技状態への変換時にその特別変動入賞装置に遊技球が入賞することを条件として遊技球が入賞し易い状態に変換する特別遊技のサイクルを繰り返して行なう変動入賞装置とを備え、前記特別遊技の各サイクルの継続時間がその各サイクルの開始前の前記可変表示装置の可変表示ゲームの結果としての停止表示に基づいて設定されるように制御装置によって制御されるようにしたパチンコ遊技機。」（特許請求の範囲）、
　「遊技領域２の中央の中段部には常時は閉じた状態で一般入賞口として機能し可変表示装置２０のゲーム結果に応じて開いて特別入賞口として機能（予備遊技状態）するチューリップ形式の特別変動入賞装置３０が、また、下段部には開閉扉５１３と左右一対の可動片５１４，５１４を備えた変動入賞装置５０が設置されている。
　また、その変動入賞装置５０の左右斜め上方位置には始動入賞装置４，４が設置され、それらのさらに外側位置と可変表示装置２０の左右位置にはそれぞれポケット型の一般入賞口１２，１２が設けられている。」（第２頁左下欄第１３行〜右上欄第５行）、
　「後述の打球発射装置によって、遊技領域２内に遊技球が発射され、その遊技球が始動入賞装置４に入賞すると、その入賞ごとに、始動入賞装置４に設置された始動入賞検出器４ａ（ＳＷ１またはＳＷ２）に検出される。その検出信号に基づいて、可変表示装置２０の可変表示器２４０の３つの表示部２４１，２４２，２４３の表示が所定時間変化された後停止されるゲームが行われる。
　そのゲームの結果、可変表示器２４０の可変表示装置２４１，２４２，２４３の表示が偶発的に特定の表示態様（この実施例の場合、「０９，９」、「１９，９」、「２９，９」、）で停止したときには、予備遊技の権利が発生して特別変動入賞装置３０の判定表示装置３７０の「×」表示が点灯する。そして、その予備遊技として、特別変動入賞装置３０の可動部材３１，３１が一定時間（この実施例の場合、２秒間）開状態となる。
　この予備遊技が行われているときに、特別変動入賞装置３０に遊技球が入賞しなかったときには、可動部材３１，３１が閉じるとともに「×」表示が消えて、再び通常の遊技状態に戻り、入賞したときには前記判定表示装置３７０の「○」表示が点灯して可動部材３１，３１が閉じて特別遊技の権利が発生し、その権利に基づいて特別遊技が行なわれる。
　ここに、特別遊技とは、変動入賞装置５０が可変表示装置２０によるゲーム結果として表示された時間だけ入賞し易い状態に変換して遊技者に多くの賞球獲得のチャンスを与える遊技態様で、この実施例ではその状態を複数サイクル繰り返すようになっていて、その第１サイクル目はその特別遊技の権利の発生時にその可変表示器２４０に停止表示として示されている時間だけ、変動入賞装置５０の開閉扉５１１と左右の可動部材５１４，５１４を開状態にさせ、第２サイクル目以降は各サイクルの開始前に始動入賞装置４への入賞に基づいて可変表示装置２０の表示を変化させた後停止させて、その停止表示に示される時間だけ変動入賞装置５０の開閉扉５１１と左右の可動部材５１４，５１４を開状態にさせるサイクルを繰り返し、打止め又は後述の権利消滅条件が成立するまで行なうようになっている。」（第３頁左上欄第１２行〜左下欄第１４行）
  「この実施例のパチンコ遊技機によれば、変動入賞装置５０の特別遊技の各サイクルの継続時間がその各サイクルの開始前の可変表示装置２０によって行なわれる可変表示ゲームの結果としての停止表示に示される時間に基づいて設定されることとなるので、特別遊技の権利が発生した後においても可変表示ゲームの結果如何によって各特別遊技のサイクルの継続時間が変化してパチンコ遊技の興趣が増す。
　また、可変表示装置によって行なわれる可変表示ゲームの結果としての停止表示が特定の態様となるごとに、予備遊技の権利の発生確率や特別遊技の権利の消滅確率が変化するので、特別遊技時のパチンコ遊技に大きな変化が生じてパチンコ遊技に対する興趣が著しく増加する。
　なお、この実施例では可変表示装置２０によって行なわれる可変表示のゲーム結果によって、特別遊技の権利の発生確率（特別遊技の権利の発生確率）や特別遊技の権利の消滅確率が変化するとともに、特別遊技の各サイクルの継続時間も変化されるようにしたが、どちらか一方のみ変化するようにしてもよい。
　また、この実施例では可変表示装置２０の特定のゲーム結果に基づいて特別変動入賞装置３０に予備遊技を行なわせ、その予備遊技時にその特別変動入賞装置３０に遊技球が入賞することを条件として特別遊技が発生するようにしたが、特別変動入賞装置３０を設けないで、２０の特定のゲーム結果に基づいて直ぐに特別遊技が発生するようにしてもよい。」（第１７頁右下欄第１７行〜第１８頁右上欄第６行）、
　「可変表示装置２０や変動入賞装置５０の形式は上記のものに限定せず、可変表示装置２０は始動入賞口４への入賞に基づいて可変表示ゲームを行なうものであればどのような形式のものでもよく、変動入賞装置５０としては特別遊技の権利が発生したときに遊技者に多くの賞球獲得のチャンスを与える特別遊技のサイクルを繰り返して行なう入賞装置であればどのような形式のものでもよい。」（第１８頁右上欄第１２〜２０行）。
＜刊行物２（特開昭６３−２９２９８４号公報）＞
　「遊技領域内に、複数の可変表示器を組合せた可変表示装置と、該可変表示装置を作動させる複数の特定入賞口と、該可変表示装置の表示内容が予め定めた表示態様と一致したとき、打球を受入れないか受入れ難い第１状態から打球を受け入れ易い第２状態に変換可能な変動入賞装置と、該変動入賞装置へ打球を案内する誘導釘とを配設したパチンコ遊技機。」（特許請求の範囲）、
　「（イ）第１変動入賞装置
　第３図及び第４図に於て、チューリップ形式の第１変動入賞装置２１は、取付基板２０の開口２０Ａの両側に配置させた可動部材としての２つの開閉翼２３を有する。開閉翼２３の回動軸２４は取付基板２０を貫通して延在しており、その後端には、開閉翼２３を左右に開閉動作させるためのピン２５Ａを植設した操作レバー２５が固定してある。取付基板２０の開口２０Ａには球受け２６が設けてある。」（第３頁左下欄第５〜１４行）、
　「（ロ）第２変動入賞装置
　第２変動入賞装置２２は、取付基板２０の開口２０Ｂから後方にかけて形成した凹室３１と、その開口を開閉し、打球の入らない第１状態から打球の入り易い第２状態に変換する可動部材としての開閉扉３２とを有する。第２変動入賞装置２２の凹室３１を形づくるため、取付基板２０の裏面には包囲枠３３が設けてある。」（第４頁左上欄第４〜１１行）、
　「
動作の概要
（イ）通常遊技状態の動作
　通常、変動入賞装置ユニット４に於る開閉扉３２、開閉翼２３は打球を受入れないか受け入れ難い第１状態に在り、遊技球に対し閉じている。しかし、特定入賞口７、８、９のいずれかに打球が入賞し検出器ＳＷ１〜ＳＷ３で検出されると、可変表示装置３が部分的ないし全体として始動する。そして、可変表示装置３の部分的ないし全体としての作動が終了した時点に於て、もしそれまでに第１特定入賞口７又は第２特定入賞口８への入賞があった場合、即ち入賞記憶表示部７Ａ、８Ａ（第１図）にその作動記憶数が示されている場合には、０．５秒の間隔を置いて、直ちに可変表示装置３のデジタル表示器１１がスタートする。尚、入賞記憶表示部７Ａ、８ＡのＬＥＤは７個しか設けてないが、８個以上入賞した場合は、点滅状態で記憶数を表示するこができる。
（
１
　第３特定入賞口９に入賞し検出器ＳＷ３で検出されると（第６図（Ａ）のａ点）、可変表示装置３が全体として始動する。即ち、３桁のデジタル表示器１１の表示が一斉に回転（１コマ４０ｍｓｅｃ）し、図示してないストップスイッチが押されるか又は一定時間（５秒）が経過したら、これに或るランダムな付加時間（＋α）を付加して、それぞれ停止する。このランダムな付加期間αは、デジタル表示器１１がスタートしてから停止するまでの時間の変動要素として加えられるものである。例えば５コマ進めて停止するときは、１コマ４０ｍｓｅｃとして、２００ｍｓｅｃが付加されるというものであり、付加期間αの意味としては、進めるべきコマ数を０とする場合も含まれる。
　上記３桁のデジタル表示器１１の表示が全て停止した時点（第６図（Ａ）のｂ点）に於て、３桁のデジタル表示器１１の表示内容が、所定の組合せ（ここでは奇数数字”７”のゾロ目）に一致しているかどうか判断される。もし所定の組合せに一致していれば、次に述べる大当りとしての特別遊技態様の「権利発生」となり、権利発生表示部、例えば可変表示装置３の鎧部枠１２内に設けたランプ（図示せず）が点灯し、下記の動作がなされるが、もし一致していなければ所定球数（例えば１３個）の賞球排出しか行なわない。
　第６図（Ａ）の例では、３桁のデジタル表示器１１の表示が”５７７”となった場合、即ちハズレであった場合を示している。」（第４頁左下欄第１９行〜第５頁右上欄第８行。なお、文中「（
１
　「（ロ）特別遊技態様での動作
（
１
　既に述べたように、第６図（Ａ）のｃ点にて、デジタル表示が７７７と揃ったことにより、特別遊技態様の権利が発生した。
　この権利発生後、初期ウエイトタイム（この例では１．８秒）が経過すると、第１変動入賞装置２１のソレノイドＳＯＬ１が作動され、その開閉翼２３が一定時間（この例では５．８秒）だけ開かれる（第６図（Ａ）のｄ点）。この初期ウエイトタイムは２．０秒の範囲内で、また開閉翼２３の開成時間は６．０秒の範囲内で、任意の時間長さに定めることができる。第１変動入賞装置２１の開閉翼２３が開かれると、第１変動入賞装置２１に打球が入賞し易くなる。
（
２
　幸にして第１変動入賞装置２１に打球が入賞すると、その入賞球がカウント検出器ＳＷ４によって検出され、第２変動入賞装置２２の開成動作が約束される。
　第１変動入賞装置２１への最初の入賞球がカウント検出器ＳＷ４で検出されると（第６図（Ａ）のｅ点）、１．８秒の初期ウエイトタイムを置いて、第２変動入賞装置２２のソレノイドＳＯＬ２が作動され、その開閉扉３２が、５．８秒だけ開かれる（第６図（Ａ）のｆ点）。この第２変動入賞装置２２の開閉扉３２が開かれると、第１変動入賞装置２１に加えて第２変動入賞装置２２にも打球が入賞し易くなる。
　上記のように、第２変動入賞装置２２は第１変動入賞装置２１への入賞球に検出に関連して所定時間開放となる１回の開成動作を行なう。もし、権利発生後、第１変動入賞装置２１の開成動作中に打球が１個も第１変動入賞装置２１に入賞しなかった場合には、特別遊技態様は、第１変動入賞装置２１の開閉翼２３の１回の開成動作のみで終了となってしまう。しかし、第１変動入賞装置２１の１回の開成動作中に打球が入賞すれば、第２変動入賞装置２２の開閉扉３２の開成動作が約束される。これらの第１変動入賞装置２１、第２変動入賞装置２２は、変動入賞装置ユニット４の上下に配置されているので、従来のように権利発生後同じ場所に打球を落とすように打球発射装置を調整していたのでは、多くの賞球の獲得を望めないことになる。ここに、権利発生後に於て遊技者が技術介入する余地が生れ、遊技者の個人的な遊技の面白さをあじわうことが可能となる。」（第６頁左上欄第１６行〜右下欄第２行）、
　「第１０図は、可変表示装置３と第１変動入賞装置２１を一体とし、しかも第１変動入賞装置に入賞球貯留部４８を設けた可変表示−変動入賞装置ユニットを示す。この可変表示−変動入賞装置ユニットを、第１図の可変表示装置３及び第１変動入賞装置２１の代りに用いてパチンコ遊技機を構成することができる。」（第９頁右上欄第１８行〜左下欄第４行）、
　「第２は、これらの可変表示器５５、５６、５７は、各可変表示器に専属の特定入賞口７、８、９への入賞によって、それぞれ単独に作動されることであり、従って、可変表示器５５、５６、５７が同時に一斉に作動するのは、特定入賞口７、８、９へ同時に入賞した場合のみであることである。第３は、第１変動入賞装置２１、第２変動入賞装置２２の他に、第３変動入賞装置６０が配設され、第２変動入賞装置２２の入賞球と連係されていることである。」（第１２頁右上欄第１７行〜左下欄第６行）、
　「変動入賞装置も任意のものを利用することができる。例えば、開閉翼やスライド体を有する変動入賞装置であって、その開閉翼やスライド体が複数回の開閉動作或いは突出後退動作することを以って、第１１図（Ａ）の開閉扉等の１回の開成動作として扱うものであってもよい。更に、第２変動入賞装置の作動を約束する権利保持手段としては上述した電気的記憶手段や入賞球貯留部ような機械的手段のいずれでも、或いは両者の複合であってもよい。」（第１３頁左下欄第１０〜１９行）。
＜刊行物３（特開平１−２３６０８３号公報）＞
　「打球を受け入れない第１状態と受け入れ易い第２状態とに変換可能な可動部材と、打球の入賞により駆動手段を介して上記可動部材を作動させる特定入賞口と、上記可動部材が受け入れた打球を普通の入賞とする一般入賞口および特別の入賞とする特別入賞口と、複数の特別遊技態様を設定する特別遊技設定手段と、上記特別入賞口に入賞したときに特別遊技の条件を決定すると共にこの条件を可視表示する特別遊技表示部と、この条件に応じて上記複数の特別遊技態様のうち１つを選択する特別遊技選択手段と、上記選択された特別遊技態様にしたがって特別遊技を行なう特別遊技制御手段とを設けたことを特徴とするパチンコ機。」（特許請求の範囲）。
＜先願明細書（特願平２−２２２８１５号（特開平４−１０５６７３号））＞
　「第１図は弾球遊技機の一例のパチンコ遊技機の遊技領域およびその遊技領域に配設されている各種装置等を示す正面図である。
　図示しない打球装置によりパチンコ玉が打ち込まれる遊技領域２２３には、そのほぼ中央に、特別可変入賞球装置１が設けられている。この特別可変入賞球装置１は、駆動源の一例の開閉翼片ソレノイド１１によって開閉される開閉翼片９９ａ，９９ｂが設けられており、この開閉翼片９９ａ，９９ｂが図示するように開成された状態と閉成された状態とに交互に変換している状態で打球が入賞しやすい遊技者にとって有利な第１の状態となり、開閉翼片９９ａ，９９ｂが閉成された状態で打球が入賞しない遊技者にとって不利な第２の状態となる。」（第３頁右下欄第１０行〜第４頁左上欄第４行）、
　「特別可変入賞球装置１には可変表示装置２が一体的に形成されている。可変表示装置２は、２つの可変表示器２ａ，２ｂを含み、それぞれの可変表示器２ａ，２ｂが０〜９の１０種類の識別情報を可変表示可能に構成されている。特別可変入賞球装置１の下方には、普通可変入賞球装置６と特別始動入賞口７ａ，７ｂとが一体的に設けられている。普通可変入賞球装置６は、普通電動役物（通称電動チューリップ）で構成されている。駆動源の一例のチューリップソレノイド８によって開閉制御され、開成姿勢で打球が入賞しやすい遊技者にとって有利な第１の状態となり、閉成姿勢で打球が入賞しにくい遊技者にとって不利な第２の状態となる。」（第４頁左上欄第７〜末行）、
　「また、特別始動入賞口７ａ、７ｂを全く設けないもので構成してもよい。
　遊技領域２２３内に打ち込まれたパチンコ玉が始動入賞領域の一例の普通始動通過口３を通過すれば、その通過玉が始動入賞玉検出手段の一例の始動通過玉検出器４により検出され、その検出出力に基づいて可変表示装置２が可変表示される。この可変表示装置２は、一定時間可変表示された後それぞれの可変表示器２ａ，２ｂが所定の順序で停止制御される。その停止時の識別情報が所定の組合わせ（たとえば７７）となれば、普通可変入賞球装置６を後述するタイマにより一定時間開成制御する。」（第４頁右上欄第７〜１９行）、
　「普通可変入賞球装置６によって形成された特別始動入賞口７内に入賞したパチンコ玉は普通入賞玉検出手段の一例の始動入賞玉検出器９により検出される。また特別始動入賞口７に入賞したパチンコ玉は始動入賞玉検出器１５ａ，１５ｂにより検出される。始動入賞玉検出器９の検出出力に基づいて、開閉翼片ソレノイド１１が励磁されて開閉翼片９９ａ，９９ｂが所定回数（たとえば２回）開閉制御される。始動入賞玉検出器１５ａ，１５ｂの検出出力に基づいて、開閉翼片ソレノイド１１が励磁されて開閉翼片９９ａ，９９ｂが所定回数（たとえば１回）開閉制御される。この開閉制御の最中にパチンコ玉が特別可変入賞球装置内に進入して特定入賞領域（Ｖポケット）５２内に入賞すればその特定入賞玉が特定入賞玉検出器１２により検出される。その検出出力に基づいて、開閉翼片ソレノイド１１が励磁されて開閉翼片９９ａ，９９ｂが開閉制御されて特別可変入賞球装置１が遊技者にとって有利な第１の状態となり大当たり状態が発生する。この第１の状態となっている特別可変入賞球装置１内に入賞したパチンコ玉は入賞個数検出器１３により検出され、その検出出力に基づいて入賞個数が入賞個数表示器１４により表示される。この可変入賞球装置１の第１の状態は、パチンコ玉の所定個数（たとえば１０個）の入賞または開閉翼片９９ａ，９９ｂの所定回数（たとえば１８回）の開閉のうちいずれか早いほうの条件が成立するまで続く。」（第４頁右下欄第１行〜第５頁左上欄第８行）、
　「図中９８は振分装置であり、特別可変入賞球装置１内に入賞したパチンコ玉がこの振分装置９８により振り分けられて特定入賞領域５２あるいはその左右にある通常入賞領域５２ａ，５２ｂに入賞する。」（第５頁左上欄第１８行〜右上欄第２行）、
　「一方、マイクロコンピュータ６０は、後述するように、パチンコ玉の普通始動通過口３の通過のタイミングに基づいて可変表示装置２の停止時の表示結果が予め定める所定の識別情報にするように制御するか否かを決定し、それに基づいて可変表示装置を予め定める所定の識別情報にするような停止制御信号が導出されれば、マイクロコンピュータ６０はソレノイド駆動回路７４を介してチューリップソレノイド１５に対し普通可変入賞球装置６を第１の状態に駆動制御させるための制御信号を導出する。」（第７頁右下欄第１４行〜第８頁左上欄第４行）。
（３−２）対比・判断
　訂正後の本件発明と上記先願明細書および各刊行物記載のものとを対比すると、先願明細書および各刊行物記載のものには、少なくとも本件発明の「第１特定入賞部をパチンコ球が通過したことを条件として図柄を変動する図柄表示器」を「第２特定入賞部の前面に設けた」点について何等記載されておらず、示唆もない。
　そして、本件発明は、上記構成と他の構成とが相俟って、図柄表示器に関係する第２特定入賞部の開放動作が、図柄表示器が配設されている箇所で行われるので、遊技者に認知されやすく、しかも第２特定入賞部への入賞も、大きな視線移動がなく確認できる等の作用効果を奏するものである。
　したがって、本件発明は、刊行物１に記載された発明であるとも、刊行物１〜３に記載された技術に基いて当業者が容易に発明をすることができたものとも、また、先願明細書に記載された発明と実質的に同一であるとも、いえない。
（４）むすび
　以上のとおりであるから、上記訂正は、特許法第１２０条の４第２，３項で準用する第１２６条第２〜４項の規定に適合するので、当該訂正を認める。
【４】特許異議申立てについての判断
（１）本件発明
　本件請求項に係る発明は、上記訂正明細書の請求項に記載された事項により特定されるとおりのものである。
（２）異議申立ての理由の概要
　申立人「上田実」は、証拠として甲第１〜３号証（上記取消理由通知で引用した「刊行物１」「刊行物２」「刊行物３」である。）を提出し、訂正前の請求項に係る発明は、甲第１号証に記載された発明と同一であり、特許法第２９条第１項第３号の規定により、または、甲第１〜３号証に記載された発明に基いて当業者が容易に発明をすることができたものであり、特許法第２９条第２項の規定により、さらに、訂正前の請求項の記載において「役物ユニットを遊技盤面に配設したパチンコ遊技機」と、「第１特定入賞部と第２特定入賞部」「強制開放手段」「判定手段」との関係が不明であり、特許法第３６条第６項第２号に規定する要件を満たしておらず、特許を受けることができないのものであるから、請求項に係る発明の特許を取り消すべき旨主張している。
　また、申立人「荒井俊之」は、証拠として甲第１号証（上記取消理由通知で提示した先願明細書である。）を提出し、訂正前の請求項に係る発明は、先願明細書に記載された発明であり、特許法第２９条の２第１項の規定により、特許を受けることができないのものであるから、請求項に係る発明の特許を取り消すべき旨主張している。
（３）判断
  本件発明は、上記【３】（３）で示したように甲第１号証に記載された発明であるとも、甲第１〜３号証に記載された発明から当業者が容易に発明をすることができたものとも、先願明細書に記載された発明と実質的に同一であるともいえない。
　また、訂正前の請求項に記載された、上記「役物ユニットを遊技盤面に配設したパチンコ遊技機」と、「第１特定入賞部と第２特定入賞部」「強制開放手段」「判定手段」との関係については、上記訂正により明確なものとなったので、不備は認められない。
（４）むすび
　以上のとおりであるから、特許異議申立ての理由及び証拠によっては、本件発明についての特許を取り消すことはできない。
　また、他に本件発明についての特許を取消すべき理由を発見しない。
　よって、結論のとおり決定する。
【異議決定日】
平成１２年８月１５日（２０００．８．１５）